(57)【要約】【課題】負荷時タップ切換装置の異常及び故障の兆候を事前に検出し、その情報をユーザにいち早く通知して、ユーザに対する運転支援を高信頼度で行なうことにある。【解決手段】負荷時タップ切換装置１の振動を測定する振動センサ２、負荷時タップ切換装置の動作時のトルクを測定するトルク測定器３、負荷時タップ切換装置１の油温及び油圧を測定する油温計４及び油圧計５、またはガス温及びガス圧を測定するガス温計及びガス圧計の少なくとも２つ以上の測定データを端末６に伝送してメモリ６ａに保存すると共に、演算部６ｂにて該測定データが所定基準値を超えた値が検出されたとき、あるいは振動測定データを含む場合には該振動測定データの過去の振動パターンに比べて所定基準値を超えて異なっているとき、端末６の表示部６ｃに異常状態発生情報を画面表示して負荷時タップ切換装置の運転を支援する。【選択図】　　図１
2004104907.tif 000002
【特許請求の範囲】
【請求項１】
負荷時タップ切換装置の振動を振動センサにより測定し、その振動測定データを端末に伝送してメモリに保存すると共に、該振動測定データが所定基準値を超えるか、あるいは過去の振動パターンに比べて所定基準値を超えて異なっているとき、前記端末の表示部に異常状態発生情報を画面表示することを特徴とする負荷時タップ切換装置の運転支援方法。
【請求項２】
負荷時タップ切換装置の動作時のトルクをトルク測定器により測定し、そのトルク測定データを端末に伝送してメモリに保存し、該トルクデータが所定基準値を超えた値が検出されたとき、前記端末の表示部に異常状態発生情報を画面表示することを特徴とする負荷時タップ切換装置の運転支援方法。
【請求項３】
負荷時タップ切換装置の油温と油圧またはガス温とガス圧を油温計と油圧計またはガス温計とガス圧計により測定し、そのデータを端末に伝送してメモリに保存すると共に、該温度及び圧力データから所定基準値を超えた値が検出されたとき、前記端末の表示部に異常状態発生情報を画面表示することを特徴とする負荷時タップ切換装置の運転支援方法。
【請求項４】
負荷時タップ切換装置の振動を測定する振動センサ、負荷時タップ切換装置の動作時のトルクを測定するトルク測定器、負荷時タップ切換装置の油温及び油圧を測定する油温計及び油圧計、またはガス温及びガス圧を測定するガス温計及びガス圧計の少なくとも２つ以上の測定データを端末に伝送してメモリに保存すると共に、該測定データが所定基準値を超えた値が検出されたとき、あるいは振動測定データを含む場合には該振動測定データの過去の振動パターンに比べて所定基準値を超えて異なっているとき、前記端末の表示部に異常状態発生情報を画面表示することを特徴とする負荷時タップ切換装置の運転支援方法。
【請求項５】
請求項１乃至請求項４のいずれかに記載の負荷時タップ切換装置の運転支援方法において、各種データをインターネット経由で管理サーバに送信し、この管理サーバにて測定データを解析し、その解析結果及び未然防止措置方法を前記端末に送信することを特徴とする負荷時タップ切換装置の運転支援方法。
【発明の詳細な説明】
【０００１】
【発明の属する技術分野】
本発明は、負荷時タップ切換装置の各種データをメーカとユーザ間で相互に伝送し合って遠方診断する負荷時タップ切換装置の運転支援方法に関する。
【０００２】
【従来の技術】
現地で運転されている負荷時タップ切換装置の保守に関して、現在実施されているものとしては、タップ選択切換開閉器、電動操作機構の定期点検や、寿命に達した切換開閉器の補修並びに負荷時タップ切換装置の一式を交換するといったものが挙げられる。
【０００３】
【発明が解決しようとする課題】
これらの点検、補修、交換は切換回数及び運転年数が規定を超えたときのみ実施されているが、それ以外の条件では何も行われていないのが現状である。このため、定期点検以外に負荷時タップ切換装置の故障を事前に検出することは困難であった。
【０００４】
本発明は上記のような事情に鑑みてなされたもので、負荷時タップ切換装置の異常及び故障の兆候を事前に検出し、その解析情報及び未然防止措置方法をメーカからユーザに提供することにより、ユーザに対する運転支援を高信頼度で行なうことができる負荷時タップ装置の運転を支援することができる負荷時タップ切換装置の運転支援方法を提供することを目的とする。
【０００５】
【課題を解決するための手段】
本発明は上記の目的を達成するため、次のような方法により負荷時タップ切換装置の運転を支援するものである。
【０００６】
請求項１に対応する発明は、負荷時タップ切換装置の振動を振動センサにより測定し、その振動測定データを端末に伝送してメモリに保存すると共に、該振動測定データが所定基準値を超えるか、あるいは過去の振動パターンに比べて所定基準値を超えて異なっているとき、前記端末の表示部に異常状態発生情報を画面表示して負荷時タップ切換装置の運転を支援する。
【０００７】
請求項２に対応する発明は、負荷時タップ切換装置の動作時のトルクをトルク測定器により測定し、そのトルク測定データを端末に伝送してメモリに保存し、該トルクデータが所定基準値を超えた値が検出されたとき、前記端末の表示部に異常状態発生情報を画面表示して負荷時タップ切換装置の運転を支援する。
【０００８】
請求項３に対応する発明は、負荷時タップ切換装置の油温と油圧またはガス温とガス圧を油温計と油圧計またはガス温計とガス圧計により測定し、そのデータを端末に伝送してメモリに保存すると共に、該温度及び圧力データから所定基準値を超えた値が検出されたとき、前記端末の表示部に異常状態発生情報を画面表示して負荷時タップ切換装置の運転を支援する。
【０００９】
請求項４に対応する発明は、負荷時タップ切換装置の振動を測定する振動センサ、負荷時タップ切換装置の動作時のトルクを測定するトルク測定器、負荷時タップ切換装置の油温及び油圧を測定する油温計及び油圧計、またはガス温及びガス圧を測定するガス温計及びガス圧計の少なくとも２つ以上の測定データを端末に伝送してメモリに保存すると共に、該測定データが所定基準値を超えた値が検出されたとき、あるいは振動測定データを含む場合には該振動測定データの過去の振動パターンに比べて所定基準値を超えて異なっているとき、前記端末の表示部に異常状態発生情報を画面表示して負荷時タップ切換装置の運転を支援する。
【００１０】
請求項５に対応する発明は、請求項１乃至請求項４のいずれかに対応する発明の負荷時タップ切換装置の運転支援方法において、各種データをインターネット経由で管理サーバに送信し、この管理サーバにて測定データを解析し、その解析結果及び未然防止措置方法を前記端末に送信する。
【００１１】
【発明の実施の形態】
以下本発明の実施の形態を図面を参照して説明する。
【００１２】
図１は本発明による負荷時タップ切換装置の運転支援方法を説明するための実施形態を示すシステム構成図である。
【００１３】
図１において、１は現地に設置された負荷時タップ切換装置で、この負荷時タップ切換装置１は計器用変圧器の２次側巻線に有する複数のタップを切換える切換開閉器、この切換開閉器を動作させる電動操作機構等を備え、これらはタンク内に絶縁油と共に収容されている。
【００１４】
このような負荷時タップ切換装置１において、切換開閉器や電動操作機構の動作時に発生する振動を測定する振動センサ２、電動操作機構の動作トルクを測定するトルク測定器３、タンク内の絶縁油の温度を測定する油温計４及び油圧を測定する油圧計５をそれぞれ所定の個所に設ける。
【００１５】
なお、上記負荷時タップ切換装置１では、タンク内に収容した絶縁油の温度及び圧力を測定する場合を例にしたが、タンク内に絶縁ガスが充填されている場合には油温計、油圧計に代えてガス温計、ガス圧計が用いられる。
【００１６】
また、６は負荷時タップ切換装置１の所定の個所に設置された振動センサ２、トルク測定器３、油温計４及び油圧計５から送信装置７を介して送信されるそれぞれの測定データを取り込むパソコンなどの端末で、この端末６は各種の測定データを保存するメモリ６ａ、このメモリ６ａに保存された各種の測定データと所定基準値とを比較してその測定データの値が基準値を超えているとき予め用意された異常状態発生情報を表示部６ｃに表示させる演算部６ｂを備えている。
【００１７】
この端末６は、測定データの値が所定基準値を超えているとインターネットを経由して管理サーバ８に自動的に接続され、測定データが管理サーバ８に送信されるようになっている。
【００１８】
管理サーバ８は、端末６から送信される測定データを解析して異常データを診断する診断部８ａ、この診断部８ａの診断結果を作成して負荷時タップ切換装置１の異常及びその兆候の有無を判定し診断結果を送信する判定部８ｂを備えている。
【００１９】
一方、９は端末６にインターネットを経由して接続される営業サーバで、この営業サーバ９は端末６からの要請を受けて対応策や派遣する技術員の名簿等の情報を端末６に送信するようになっている。
【００２０】
次に上記のようなシステム構成による負荷時タップ切換装置の運転支援方法を図２に示すフローチャートを参照しながら説明する。
【００２１】
なお、図２において、端末６で行なわれる処理を図示左側に、管理サーバ８で行なわれる処理を図示中央に、営業サーバ９で行なわれる処理を図示右側にそれぞれ示す。
【００２２】
負荷時タップ切換装置１の動作後、振動センサ２及びトルク測定器３により測定された測定データは送信装置７により端末６にそれぞれ送信され、これらのデータはメモリ６ａに保存される。また、油温計４と油圧計５で測定された測定データは送信装置７により一定周期で端末６にそれぞれ送信され、これらのデータも同様にメモリ６ａに保存される。
【００２３】
端末６では、演算部６ｂで振動センサ２の測定データが所定基準値を超えているか、または過去の振動パターンと所定基準値を超えて異なっていると判定された場合や、トルク測定器３の測定データが所定基準値を超えている場合、あるいは油温計４と油圧計５の測定データが所定基準値を超えているときは、表示部６ｃに異常状態発生情報をそれぞれ画面表示する（ステップＳ１）。
【００２４】
その後、端末６は自動的に管理サーバ８に接続し（ステップＳ２）、端末６から管理サーバ８にその測定データを送信する（ステップＳ３）。
【００２５】
管理サーバ８においては、端末６から送られてきたデータを診断部８ａにて解析する（ステップＳ４）。続いて、診断部８ａでは端末６で表示する診断結果を作成し（ステップＳ５）、判定部８ｂにて負荷時タップ切換装置１の異常及びその兆候の有無についての判定を行なう（ステップＳ６）。
【００２６】
ここで、異常の有無の判定方法としては、トルクデータ及び油温と油圧は管理値より外れていないか、兆候として管理値から外れる傾向にあるかどうかを判定し、振動データについては過去のトレンドと対比して異常の有無を判定する。
【００２７】
この判定部８ｂにて異常が認められると、その旨の情報を関係課に伝達した後（ステップＳ７）、診断結果を端末６に送信して表示部６ｃに表示される（ステップＳ１０）。
【００２８】
逆に、判定部８ｂにて異常として認められない場合、その診断結果はそのまま端末６の表示部６ｃに表示され（ステップＳ８）、管理サーバ８との接続を切断する（ステップＳ９）。
【００２９】
したがって、使用者は端末６の表示部６ｃに表示された診断結果フォームの表示内容を確認することで、技術員を派遣するかどうかの決定をすることができる（ステップＳ１１）。
【００３０】
このとき使用者は、派遣を要すれば、技術員の派遣の有無について診断結果フォームの下部に配置されている操作ボタンをクリックすることで依頼ができるものとする。もし、使用者が技術員の派遣が必要としないと判断した場合は、そのまま管理サーバ８との切断を切断するが（ステップＳ１３）、必要と判断した場合は、これらの情報をメーカの営業サーバ９に送信する（ステップＳ１２）。
【００３１】
営業サーバ９では、端末６より送信されてきた情報をもとに関係課を割り出し、技術員の派遣を依頼する（ステップＳ１４）。関係課では、技術員の依頼を受けると、派遣する技術員を決定した後（ステップＳ１５）、端末６に対応策及び派遣する技術員の名簿等を送信する（ステップＳ１６）。使用者は、端末６の表示部６ｃに表示された対応策を確認した後（ステップＳ１７）、管理サーバ８との接続を切断する（ステップＳ１８）。
【００３２】
上記実施形態では、負荷時タップ切換装置１が動作したときの振動を振動センサ２により測定し、そのデータを送信装置７を介して端末６に送信し、この端末６のメモリ６ａに保存した振動データが演算部６ｂにて所定基準値を超えるか、あるいは過去のトレンド振動データと対比して所定基準値を超えて振動パターンが異なる場合に端末６の表示部６ｃに異常状態発生情報を画面表示することにより、負荷時タップ切換装置１の動作異常を検出して、いち早く使用者に通知することが可能となる。
【００３３】
同様にトルク測定器３により測定された負荷時タップ切換装置１の動作トルクの測定データを送信装置７を介して端末６に送信し、この端末６のメモリ６ａに保存した振動データが演算部６ｂにて所定基準値を超えた値が検出されたとき端末６の表示部６ｃに異常状態発生情報を画面表示することにより、負荷時タップ切換装置１のタップ選択切換開閉器の摩耗及びかじり等を事前に察知し、いち早く使用者に通知することが可能となる。
【００３４】
同様に負荷時タップ切換装置１の油温、油圧（またはガス温、ガス圧）を油温計４及び油圧計５（またはガス温計及びガス圧計）により測定し、その測定データを送信装置７を介して端末６に送信し、この端末６のメモリ６ａに保存した上で、演算部６ｂにて測定された温度及び圧力データが所定基準値を超えた値が検出されたとき端末６の表示部６ｃに異常状態発生情報を画面表示することにより、負荷時タップ切換装置１の温度上昇を事前に察知し、いち早く使用者に通知することが可能となる。
【００３５】
また、上記端末６のメモリ６ａに保存されている各種データを異常値検出時に管理サーバ８に送信し、そのデータを診断部８ａで解析し、端末６に推定原因及び未然防止処置方法を通知することにより、重大事故を未然に防止することができ、更に適切な点検及びオーバーホールの実施が可能となる。
【００３６】
さらに、診断された結果に対し、使用者の要望によりインターネットを利用して技術員の派遣までを決定し、異常に対する迅速な対応を使用者に提供することにより、迅速な対応を実施することができると同時に、調査に必要なデータをインターネット経由で入手しているため、適切な処置を施すことが可能となる。
【００３７】
なお、上記実施の形態では、負荷時タップ切換装置１に振動センサ２、トルク計測器３、油温計（またはガス温計）と油圧計（またはガス圧計）のすべてを設置する場合について述べたが、これらの１つまたは２つの測定データを用いても同様の運転支援を行なうことができる。
【００３８】
【発明の効果】
以上述べた本発明による負荷時タップ切換装置の運転支援方法によれば、負荷時タップ切換装置の異常及び故障の兆候を事前に検出し、その解析情報及び未然防止措置方法をメーカからユーザに通知することにより、迅速な事前対応が可能となる。しかも、これらのデータはインターネット経由で取り込むことができるので、調査員が不要になるという利点もある。
【図面の簡単な説明】
【図１】本発明による負荷時タップ切換装置の運転支援方法を説明するための実施形態を示すシステム構成図。
【図２】同実施形態の処理手順を示すフローチャート。
【符号の説明】
１…負荷時タップ切換装置
２…振動センサ
３…トルク測定器
４…油温計
５…油圧計
６…端末
６ａ…メモリ
６ｂ…演算部
６ｃ…表示部
７…送信装置
８…管理サーバ
８ａ…診断部
８ｂ…判定部
９…営業サーバ
【図１】
2004104907.tif 000003
【図２】
2004104907.tif 000004